(57)【要約】      （修正有）【課題】安くて簡単に整形できるビニール笠を提供する。【解決手段】それぞれ空気の通入口６で繋がった複数のブロック９、１０を円錐形に繋げ、風船のように空気を入れて脹らませて使用する。強度を保つために、ブロック内部に補強用のビニール２を取りつけ、ブロックごとにマジックバンド（登録商標）で繋ぐ。また、風など下からの強い圧力による、あおりを防止するために、各ブロックの繋ぎを上部にし、ブロックごとに横を離した。さらに、空気の出入口が上部の１カ所だけだと閉じるとき空気を抜く時間がかかるので笠の周り端に密封できるジッパー４をとりつけた。【選択図】図２
0003213271.tif 000002
【実用新案登録請求の範囲】
【請求項１】
空気注入口で繋げ、ふくらませた複数の空洞のビニールのブロックを、笠上部に円錐状に取りつけて頭にかぶるビニール笠。
【請求項２】
請求項１の笠のブロック空洞の内部の上下を繋ぎ、補強と整形用のビニールを取りつけたビニール笠。
【請求項３】
請求項１のビニール笠の各ブロックとブロックの横を溝状に離したビニール笠。
【請求項４】
請求項１の周囲にジッパーを取りつけたビニール笠。
【考案の詳細な説明】
【技術分野】
【０００１】空気を入れて膨らませ，頭にかぶるビニール笠。
【背景技術】
【０００２】従来様々な素材の笠があった。
【先行技術文献】
【特許文献】
【０００３】
【特許文献１】
【非特許文献】
【０００４】
【非特許文献１】
【考案の概要】
【考案が解決しようとする課題】
【０００５】  従来の笠は制作に手間がかかり、使わないときはかさばって持ち歩きに不便であった。
また、人の手作りが多く大量生産に不向きであった。
しかし、笠の機能上、上からの風雨にたいし一定の大きさと強度を保ち、横からの風雨に対し抵抗が少なく、下からの強風にたいしあおられないように抵抗をできるだけ小さくする必要がある。
また、軽くて使用しない時はかさばらないように小さく折りたためるようにしなければならない。
【課題を解決するための手段】
【０００６】  そこで、最も安く簡単に整形でき水にも強いビニールでそれぞれ空気の通入口で繋がった複数のブロックごとに分け、円錐形に繋げ風船のように空気を入れて脹らませて使用する請求項１のようなビニール笠を考案した。
しかし、空気の圧力が強くなると丸く膨らみ、強度を保つ大きさにも限度がある。
そこで、ブロック内部に繋請求項２のように補強用のビニールを取りつけ、ブロックごとにマジックバンドで繋ぐことを考案した。
また、笠が大きくなると風など下からも強い圧力がかかり、あおられて危険になる。
そこで、空気の通入口を繋げた各ブロックの繋ぎを上部にし、請求項３の考案のようにブロックごとに横を離した。
ただし、空洞のブロックの数は笠の大きさによって増減する。
また、空気の出入口が上部の１カ所だけだと閉じるとき空気を抜く時間がかかるので請求項４のように笠の周り端に密封できるジッパーをとりつけた。
【考案の効果】
【０００７】  ビニールを脹らませて使用することにより、水に強く、軽く、使わないとき小さくおりたためる。
ブロック内部をビニールで補強することにより、笠の整形と一定の強度をたもてる。
また、複数のブロックに分けブロックごとに横を開けることにより、下からの強い圧力に対し折れまがり、圧力を和らげることができた。
また、ブロック端に密閉できるジッパーを取りつけることにより、開けたとき素早く空気を抜くことができた。
【図面の簡単な説明】
【０００８】
【図１】図１は空気を入れて膨らませた使用時のイメージ図である。
【図２】空気をいれ、膨らませた状態の下から見た図である。
【図３】空気をいれ、膨らませた状態の２図のＡからＢの断面図である。
【図４】空気をいれ、膨らませた状態の、２図のＣからＤの断面図である。
【図５】ブロック９とブロック１０の関係の透視イメージ図である。
【考案を実施するための形態】
【０００９】  空気通入口で繋げた空洞のビニールブロックを笠の上部に複数円錐状に取りつけ、空洞のブロック内部に、上下を結ぶビニールを取りつけた各ブロックに空気を入れてで膨らませ、紐をつけ頭にかぶるビニール笠。
また、ブロックとブロックの横はそれぞれ繋がないで開け、マジックバンドを取りつけて補強した。
また、空気を早く早く抜くため笠の周囲に密閉用のジッパーを取りつけた。
【実施例】
【００１０】  図１は空気挿入口５と記号９と記号１０でつながっつた複数のブロックを円錐状に上部１に取りつけ、空洞のビニール袋に空気を入れて膨らませ頭にかぶったイメージ図である。【００１１】  図２は下部から見た図で、各ブロックを笠の上部下方取りつけ、各ブロックの横の下方は３のように開け、マジックテープで繋ぐ。
各ブロック９と１０は５から挿入された空気により６のつなぎ目を遠っつて膨らむ。ブロック１０の空気挿入口６に空気の逆流を防ぐ弁をつけ、他のブロックの破損からの逆流を防ぐ。
また、ブロック１０の空洞にブロック上下を繋げたビニール２で補強する
また、笠の先端周囲は密閉するか、密閉できるジッパーを取りつけ素早く空気が抜けるようにする。【００１２】  図３は２図のＡからＢの断面図である
中心上下に補強用のビニールを取りつけ、ブロックとブロックの間にもジックバンド８を取り付けてつなげ、下部から加わる圧力に対し補強をする。
尚、補強用のビニールとマジックバンドは笠の大きさによって数が変わる。【００１３】  図４は図２のＣからＤの切断図である。
上部に取りつけた各ブロックとブロックの間は記号３のように開け、風などの下からの強い圧力に対し笠がめくれるようにする。【００１４】  図５はブロック９とブロック１０関係の透しイメージ図である。
空気挿入口５から入れられた空気によってブロック９の空洞を膨らませ、６で繋がったブロック１０に空気が入る。
同時に記号２のビニールが立ち上がり突っ張りとなって補強と膨らみすぎをおさえる。
また空気を抜くときは４のジッパーを開けるか５の空気挿入く口を開ける。
ブロック１０と補強用のビニール２は長さと横の強度によって大きさや数が変わる。
【産業上の利用可能性】
【００１５】  古来高温多湿の日本では、強風の時以外はカッパより傘か笠が好まれてきた。
中でも、平素は安くて軽く両手を使える笠が好まれてきた。
しかし、近年様々な素材で簡単にでき、使用しないときは場所を取らないカッパや傘が主流になってきた。
そこで、頭にかぶる笠で、安価で軽く、両手を使え、使用しないとき場所を取らない、雨具の一使用方法として考案した。【００１６】  笠の大きさにより雨笠や帽子や日笠になる
【符号の説明】
【００１７】１  笠の上部
２  ブロック上下を結ぶビニール
３  ブロックとブロックの間の溝
４  笠先端の密閉用ジッパー
５  空気挿入口
６  ブロック９とブロック１０を繋ぐ空気の通り口。
７  顔に結ぶ紐
８  ブロックとブロックを繋ぐマジックバンド
９  頭上の空気が入った状態のブロック空洞。
１０  先端部の空気が入った状態のブロック空洞。
Ａ，Ｂ  図２のブロック切り取り線断面
Ｃ，Ｄ  図２のブロック切り取り断面図線
【図１】
0003213271.tif 000003
【図２】
0003213271.tif 000004
【図３】
0003213271.tif 000005
【図４】
0003213271.tif 000006
【図５】
0003213271.tif 000007
【手続補正書】
【提出日】平成29年1月13日(2017.1.13)
【手続補正１】
【補正対象書類名】実用新案登録請求の範囲
【補正対象項目名】請求項１
【補正方法】変更
【補正の内容】
【請求項１】
空気注入口の空洞ブロックのポンプでふくらませた、複数の空洞のビニールのブロックを、笠上部に円錐状に取りつけて頭にかぶるビニール笠。
【手続補正２】
【補正対象書類名】明細書
【補正対象項目名】００１３
【補正方法】変更
【補正の内容】
【００１３】図４は図２のＣからＤの切断図である。
ブロック９のポンプを下方に伸ばすと、空気挿入口５より空気が入り、ポンプ９を上方に上げると、挿入口の弁がしまり上部に取りつけた各ブロックに空気が送られる。
【手続補正３】
【補正対象書類名】明細書
【補正対象項目名】００１７
【補正方法】変更
【補正の内容】
【００１７】１  笠の上部
３  ブロックとブロックの間の溝
４  笠先端の密閉用ジッパー
５  空気挿入口
６  ブロック９とブロック１０を繋ぐ空気の通り口。
７  顔に結ぶ紐
８  ブロックとブロックを繋ぐマジックバンド
９  頭上のポンプを兼ねたブロック空洞。
１０  先端部の空気が入った状態のブロック空洞。
Ａ，Ｂ  図２のブロック切り取り線断面
Ｃ，Ｄ  図２のブロック切り取り断面図線
【手続補正４】
【補正対象書類名】図面
【補正対象項目名】図３
【補正方法】変更
【補正の内容】
【図３】
0003213271.tif 000008
【手続補正５】
【補正対象書類名】図面
【補正対象項目名】図４
【補正方法】変更
【補正の内容】
【図４】
0003213271.tif 000009
【手続補正書】
【提出日】平成29年5月9日(2017.5.9)
【手続補正１】
【補正対象書類名】実用新案登録請求の範囲
【補正対象項目名】全文
【補正方法】変更
【補正の内容】
【実用新案登録請求の範囲】
【請求項１】
空気注入口に取りつけた袋状のビニールの空洞をふくらませることにより空気を取り入れ、縮めることにより繋げた円錐状の空洞ブロッに空気を送ってふくらませ，笠上部に取りつけたビニール笠。
【請求項２】
前記、円錐ブロックの空洞の内部の上下を繋ぎ、補強と整形用のビニールを取りつけた請求項１記載のビニール笠。
【請求項３】
前記、円錐ブロックを複数のブロックに分けた請求項１記載のビニール笠
【請求項４】
前記、ビニール笠の周囲にジッパーを取りつけた請求項１記載のビニール笠
【手続補正書】
【提出日】平成29年8月18日(2017.8.18)
【手続補正１】
【補正対象書類名】実用新案登録請求の範囲
【補正対象項目名】全文
【補正方法】変更
【補正の内容】
【実用新案登録請求の範囲】
【請求項１】
笠上部と、
前記笠上部の下方にとりつけられ、空気挿入口を有する袋状のビニール空洞と、
前記笠上部に対して円錐状に取りつけられ、前記ビニール空洞と空気の通り口で繋げられたビニールブロックと、からなるビニール笠であって、
前記空気挿入口の下方に取りつけたビニールの空気ブリックの空洞はブロック全体に空気を送るポンプの役割も果たし、
前記ビニール空洞の下方に手動で引き、膨らませることにより空気挿入口より空気をを挿入し、
手動で押し、縮めることにより、前記ビニール空洞と空気の通り口で繋げた円錐状のビニールブロック空洞に空気を送ってふくらませ、頭にかぶることができる、ビニール笠。
【請求項２】
前記、円錐状のビニールブロックにビニールブロックの上下を繋げたビニールを取りつけたことを特徴とする請求項１記載のビニール笠。
【請求項３】
前記、円錐状のビニールブロックが複数のブロックに分けて形成されていることを特徴する請求項１記載のビニール笠。
【請求項４】
前記、ビニールロックの周囲にジッパーが取りつけられていることを特徴とする請求項１記載のビニール笠。